(57)【特許請求の範囲】
【請求項１】
テープ状の耐熱性のあるガラス繊維布の基布の一方の表裏が４弗化エチレンでコーティングされ、もう一方の表裏がゴムでコーティングされるとしたことを特徴とする膜構造における膜定着部の気密性、水密性向上のための上方掩覆用補助膜。
【請求項２】
表裏のコーティングを表と裏と非同一に設定した請求項１記載の膜構造における膜定着部の気密性、水密性向上のための上方掩覆用補助膜。
【請求項３】
テープ状の４弗化エチレンをコーティングしたガラス繊維布の一方の表裏を薬品により非接着性を低下させ、これにゴムをコーティングまたは接着したことを特徴とする膜構造における膜定着部の気密性、水密性向上のための上方掩覆用補助膜。
【請求項４】
表裏のゴムコーティングを表と裏と非同一に設定した請求項３記載の膜構造における膜定着部の気密性、水密性向上のための上方掩覆用補助膜。
【発明の詳細な説明】
【０００１】
【発明の属する技術分野】
本発明は、膜構造における膜定着部の気密性、水密性向上のための上方掩覆用補助膜に関する。
【０００２】
【従来の技術】
膜構造に広く用いられる４弗化エチレンをコーティングしたガラス繊維布（テフロンコーティングガラス繊維布）は耐久性が高く、汚れも付き難い優れた材料である。この種の膜材としては、建築物用として不可欠の耐火性を備えねばならぬ事情から特開昭６３−１６５６７０号公報にあっては４弗化エチレン（テフロン）をコーティングしたガラス繊維布の採用を提案しており、また、特公平７−２４０４号公報にあっては、耐熱性シートとして、無機繊維および有機繊維を含んでなる基布と、その一表面上に形成され、かつ、弗素含有樹脂を含んでなる耐熱被覆層と、前記基布の他の片面上に形成され、かつ、弗素含有樹脂とは異なる合成樹脂、天然ゴム、および合成ゴムから選ばれた少なくとも一種を含む重合体被覆層とを有する耐熱性シート並びに前記無機繊維が、石綿繊維、セラミック繊維、シリカ繊維、ガラス繊維、カーボン繊維、および金属繊維から選ばれる耐熱性シートを提案しており、これにより基布を形成する無機繊維に所定量の有機繊維が混用されており、かつ、基布には、弗素含有樹脂を含む耐熱被覆層と、他の重合体を含む重合体被覆層が形成されているため所望の耐熱性を保持しながら、すぐれた耐折れ強さを有し、任意の形状にミシン縫製することが可能であり、従って高温で繰り返し屈曲や、激しい振動や、はためきを受ける用途に広く使用することができる、としている。そして、この耐熱性シートにおいて、「他の片面には、シートに要求される性能により、例えば基布の耐候性を向上させる必要がある場合などには天然ゴム、ネオプレンゴム、クロロプレンゴム、シリコーンゴム、ハイパロンその他の合成ゴム、または弗素含有樹脂とは異なる合成樹脂、例えばＰＶＣ樹脂、エチレン−酢酸ビニルコポリマー（ＥＶＡ）樹脂、アクリル樹脂、シリコーン樹脂、ウレタン樹脂、ポリエステル樹脂その他などから選ばれた少なくとも１種を含む重合体被覆層が形成される。この場合、これらの樹脂が難燃化されているとさらに好ましい。また、本発明の耐熱性シートの片面に弗素含有樹脂とは異なる重合体による被覆層を形成することにより、例えば、耐火服の作成の際、この重合体被覆層が内側になるようにすれば着用性（着心地）を良好にすることができる。」としている。つまり、シート両面で相異なる性能（一面で合成ゴム、他面で弗素含有樹脂）をもつものの提案をしている。
【０００３】
一方、膜部材同志の接合や定着においては化学的な接着が難しいため、コーティング材料（４弗化エチレン、弗素含有樹脂）を熱により溶解させて接着させるか、プレート・ボルトによる機械的定着しか方法は開発されていない。
【０００４】
かかる事情のもと、一般的な機械的定着は図４に示す如く、ケーブル１をＵボルト２を介して懸吊保持する桁部材３を内包掛止する断面Ｃ型の取付金具４の天板に貫挿されたボルト５、５を相対するテフロン膜６、６の接合端部６ａ、６とともに水密保持用の上部ゴムガスケット兼ゴムカバー７、７の端部を挟着する膜押え金物８、８に挿貫、緊締し、該金物８、８の内側フック８ａ、８ａに係着のコブ部７ａ、７ａ間にゴムジッパー９を架設して成る。
【０００５】
上記機械的定着部分におけるゴムパッキンを挟むことによる止水では止水性能は確実かつ永続的なものとは言えない。配慮すべきことは、ゴム材料自体の耐用年数は膜６より短いため、共用年数以内に必ず劣化が進行し、さらに止水性能は低下することとなるので、図中矢印１０で示される個所からの雨水が進入することとなる事態である。
【０００６】
叙上の事情は、図５に示す実開昭６０−５５６０８号公報等に開示のガスケット１９における２段階止水ａ、ｂの採用にあっても機械的定着部は同じであることから逸れ得ない（図４の構成と同一部材については同一符号を付す）。
【０００７】
かかる機械的定着で不可避の改修を考える場合、定着部分のゴムパッキン（ゴムカバー７）の交換は屋根全体に及ぶ大規模なものとなるため、多大な費用と時間を要することとなり、供用されている建物では事実上不可能なものとならざるを得ない。
【０００８】
叙上の事情から特公平４−３６２３３号公報にあっては、膜定着部の補助膜の上方掩覆による気密性、水密性向上保持が提案されている。
【０００９】
すなわち、図６ａ、ｂ、図７に示す如く、既述の図４とは膜端プレート１２の上下に膜材保護ゴムシート１３、１４を挟着した多少異なる定着構造１１において、膜パネル１５の接合端部上面には、水密、気密保持用補助膜１６の基端縁が一体に溶着２０され、当該補助膜１６先端部の弗素樹脂プレート１６ａをガスケット１７に挿入し、ガスケット１７にジッパ１８を嵌着し、相隣る前記一双の膜パネル１５の補助膜１６を水密、気密に結合して膜パネル１５の接合作業を完了するものとする。
【００１０】
しかして、補助膜１６により膜パネル１５の接合部上面が流体密に掩覆され、接合部からの漏水が防止される、としている（図４中同一構成には同一符号を付す）。さらに、同公報にあっては、図７に示す如く、相隣る膜パネル１５、１５から持ち出しの各補助膜１６、１６の対向端部を溶着２１することによって一体的に接続する、としている。
【００１１】
該ゴムシート１３の弾性をもってインフレート時（図６ａ、図７）、デフレート時（図６ｂ）のいずれにあっても補助膜１６にだぶつきは生じないものとなっている。
【００１２】
【発明が解決しようとする課題】
しかるに叙上の補助膜による手当てでは、補助膜となる膜材は、既述の如く表裏両面とも４弗化エチレンによるコーティング（テフロンコーティング）あるいは弗素含有樹脂若しくは片面弗素含有樹脂、他面合成ゴムという一面全体同一層のものであるために実際上重大な不都合が生じている。
【００１３】
すなわち、叙上の膜材を既述の如く同一材間の熱溶着でもって図６、図７の要領でもって使用しようとすると、図６の場合にあっては表裏両面４弗化エチレンによるコーティング（テフロンコーティング）あるいは弗素含有樹脂の膜材ではこのものが定着部を覆い、また、片面弗素含有樹脂、他面合成ゴムのものでは対膜パネル１５への熱溶着の関係上膜パネル１５と定着部を反対面の合成ゴム面が覆うことになる。通常黒色のゴムを用いる定着部分を白い膜材で覆ってしまう、または、白色の膜パネル１５部分を黒色の合成ゴム面で覆ってしまうため、外観上の変化も生じてしまい、設計者・建物所有者の同意が得られないことが生じる。
【００１４】
本発明は叙上の事情に鑑みなされたもので、その目的とするところは、経年変化を起こしやすい膜構造の膜定着部分において、黒色の定着部と白色の膜パネル部とを区画して張架し得て、現状の意匠性を損なわずに気密性、水密性を向上または回復させることのできる膜定着部の気密性、水密性向上のための上方掩覆用補助膜補助膜を提供することにある。
【００１５】
【課題を解決するための手段】
上記目的を達成するために、本発明の膜構造における膜定着部の気密性、水密性向上のための上方掩覆用補助膜は、テープ状の耐熱性のあるガラス繊維布の基布の一方の表裏が４弗化エチレン（テフロン）でコーティングされ、もう一方の表裏がゴムでコーティングされるとしたものである。
【００１６】
また、テープ状の４弗化エチレンをコーティングしたガラス繊維布（テフロンコーティングガラス繊維布）の一方の表裏を薬品により非接着性を低下させ、これにゴムをコーティングまたは接着したものである。
【００１７】
【作用】
一方はガラス繊維布地（白色）で他方はゴムコーティング地（黒色）である膜材のため、黒色のゴムを用いている定着部分と白い膜材の膜パネル間に渡っての張設において、同一材同志の熱溶着（４弗化エチレンの場合）という不可欠の要件充足と既存の外観を変化させることがないという条件をクリアーし得る効果を有する。
【００１８】
【発明の実施の形態】
本発明の実施の態様を図１に基づいて説明する。
【００１９】
図１ａ〜ｃは本発明の膜２２のバリエーションを示す。
【００２０】
ａはテープ状の耐熱性のあるガラス繊維布の基布２２ａの一方の表裏を４弗化エチレンによるコーティング（テフロンコーティング）２２ｂとし、もう一方をゴムコーティング２２ｃとしたものである。
【００２１】
ｂは、叙上のコーティング２２ｂと２２ｃを表裏同一に設定しない例を示し、後述の図２、３の施工態様にてその効能が説明される。
【００２２】
ｃはテープ状の４弗化エチレンをコーティングしたガラス繊維布（テフロンコーティングガラス繊維布）の基布２２ａ′の一方の表裏を薬品により非接着性を低下させてゴムコーティング２２ｃ′したものである。
【００２３】
図示省略するも、この場合にも表裏同一に設定しない場合もある。
【００２４】
しかして、同一面上に４弗化エチレン（テフロン）（白）とゴム（黒）面とが区画して現れるため、同一材同志の熱溶着（４弗化エチレンの場合）という要件を充足しつつ既存の定着部と膜パネルの外観を損なうことなく取り付けできる。
【００２５】
すなわち、図２ａにおいて、本発明の膜２２を図４、５における雨水侵入部のみの最小範囲で４弗化エチレンの白部２２ｂ、２２ａ′を膜パネル６に熱溶着し、ゴムの黒部２２ｃ、２２ｃ′を接着または貼着２４して（ゴムは熱溶着の必要はない）張架させることができる。
【００２６】
また、ｂにおいては、該黒部２２ｃ、２２ｃ′をカバー７、７上で接着または貼着２４するというより完全な止水を期したものである。
【００２７】
ａ、ｂいずれにあっても白部、黒部は表と裏では等分とは必ずしもならず、既述の図１ｂの表裏非同一設定の理由はここにある。
【００２８】
図２ａの態様は図３に示す如く、避雷導体２３が、ドームなど平面的に大きすぎて避雷針ではカバーしきれない場合や、膜構造で万一の場合避雷針の先端が膜を被ってしまう可能性がある場合ゴムカバー７上に延設されるとき、好適である。
【００２９】
しかして、本発明の補助膜２２により
（１）少ない追加金額でより確実な気密・水密性を確保できる。
（２）関係部分が限定されるため、変形への追随性が良好であり、風による破損もない。
（３）改修工事に利用した場合、局所的な工事のため、かかる時間・金額が少なくて済む。
（４）改修工事に利用した場合、従来の外観を損なうことなく改修が実現できる。
等の有効性がある。
【００３０】
【発明の効果】
本発明膜は以上の如く構成されるので、定着部の止水能向上、保持を既存の外観を何ら損なうことなく成し遂げることができ好適である。
【図面の簡単な説明】
【図１】図１ａ〜ｃは本発明膜のバリエーション説明図である。
【図２】ａ、ｂは本発明膜を使用しての定着部止水向上・保持の施工例説明図である。
【図３】本発明膜の定着部止水向上・保持の特殊施工例説明図である。
【図４】定着部の雨水浸水説明図である。
【図５】他の定着部構造における雨水浸水説明図である。
【図６】ａ、ｂは在来の定着部の雨水浸水阻止のために補助膜での被覆例のインフレート、デフレート態様図である。
【図７】同じく他の被覆例でのインフレート態様図である。
【符号の説明】
１ ； ケーブル
２ ； Ｕボルト
３ ； 桁部材
４ ； 取付金具
５ ； ボルト
６ ； ４弗化エチレン（テフロン）膜
６ａ ； 接合端部
７ ； ゴムカバー
７ａ ； コブ部
８ ； 押え金物
８ａ ； フック
９ ； ゴムジッパー
１０ ； 矢印
１１ ； 定着構造
１２ ； 膜端プレート
１３、１４ ； ゴムシート
１５ ； 膜パネル
１６ ； 補助膜
１６ａ ； 弗素樹脂プレート
１７ ； ガスケット
１８ ； ジッパ
１９ ； ガスケット
２０、２１ ； 溶着
２２ ； 膜
２２ａ、２２ａ′ ； 基布
２２ｂ ； ４弗化エチレンによるコーティング（テフロンコーティング）
２２ｃ、２２ｃ′ ； ゴムコーティング
２３ ； 避雷導体
２４ ； 接着または貼着
【図１】
0004640717.tif 000002
【図２】
0004640717.tif 000003
【図３】
0004640717.tif 000004
【図４】
0004640717.tif 000005
【図５】
0004640717.tif 000006
【図６】
0004640717.tif 000007
【図７】
0004640717.tif 000008